【事件の表示】
　平成１１年特許願第２７８６１４号「通信端末装置」拒絶査定不服審判事件〔平成１３年　４月１３日出願公開、特開２００１−１０３１９８〕について、次のとおり審決する。
【結　論】
　本件審判の請求は、成り立たない。
【理　由】
 １．手続の経緯
　本願は、平成１１年９月３０日の出願であって、平成１７年２月２日付で拒絶査定がされ、これに対し、同年３月１０日に拒絶査定不服審判が請求されたものである。
　
２．本願発明
　本願の請求項１ないし８に係る発明は、平成１７年１月１７日付の手続補正書により補正された明細書及び図面の記載からみて、その特許請求の範囲の請求項１ないし８に記載されたとおりのものと認められるところ、その請求項１に記載された発明（以下、「本願発明」という。）は次のとおりである。
　
　「通信情報を格納するボックスを、Ｆコードによって検索・特定し、該通信情報を指示に従って処理するＦコード機能を備える通信端末装置において、前記ボックスに関する情報を入力する際には、所定の入力キーの入力を許可すると共に、所定の桁数目においては前記所定の入力キーの入力を許可しないように制御する制御手段を備えた通信端末装置。」
　
３．引用例
［第１引用例］
　原査定の拒絶の理由に引用された、特開平６−３３４８８３号公報（以下、「第１引用例」という。）には、次の事項が図面と共に記載されている。
　
（ａ）「本発明はファクシミリ装置に関するものであり、特に、親展通信機能を有するファクシミリ装置に関する。」（段落【０００１】）
　
（ｂ）「以下、図面を参照して本発明の実施例を説明する。図３は本発明にかかるファクシミリ装置のハード構成を示すブロック図である。同図において、ＣＰＵ１は、システム制御部８に格納されたプログラムに従ってファクシミリ装置全体を制御し、ファクシミリ伝送制御手順を実行する。ＲＡＭ２は制御プログラムの実行に使用するワークエリアである。操作表示装置３は、テンキーを含むキーボードからなる操作部と液晶パネル（ＣＲＴ画面でもよい）の表示部とを有し、該ファクシミリ装置の動作を指示したり、その指示や動作状態を表示する。読取装置４は、送信のための原稿や複写原稿を読取り、これを電気信号すなわち画情報に変換する。該読取装置４で読取られた画情報や受信した画情報は画像蓄積装置７に蓄積される。」（段落【００１３】）
　
（ｃ）「通信制御部９はＧ３やＧ４等の通信モードで通信を制御する機能を有し、モデム１０は低速モード（伝送手順信号用Ｖ２１インタフェース）と高速モード（画情報送受信用Ｖ２７ter 、Ｖ２９、Ｖ３３、Ｖ１７インタフェース）との機能を備えている。また、網制御装置１１は、網すなわちアナログ回線やデジタル回線などへファクシミリ装置を接続するためのもので、自動発着信機能を備えている。前記画像蓄積装置７に蓄積された送信用画情報は前記通信制御部９やモデム１０、ならびに網制御装置１１を介して回線に送出される。一方、画像蓄積装置７に蓄積された受信画情報は印字装置５に出力されて印字される。画像処理装置６は符号化部および復号化部を備え、それぞれ画情報の符号化および復号化を行う。システムバス１２は、相互にデータを送受するためのバスであり、このシステムバス１２を介して上記各部１〜９間のデータの送受が行われる。」（段落【００１４】）
　
（ｄ）「次に、親展ボックスの一例を説明する。図４は前記画像蓄積装置７に開設される親展ボックスの構成を示す概念図である。この図のように、親展ボックスにはボックス番号（Ｎｏ．）の記憶領域、このボックスからデータを読み出すための暗証番号の記憶領域、および画情報の記憶領域（エリア）が設けられる。このボックスは前記操作部からの指示に従って増設または削除が可能である。なお、前記ＲＡＭ２に管理テーブルを設け、この画像蓄積装置７内のボックスの開設や削除等の指示による状態の変化を把握できるようにしておく。」（段落【００１５】）
　
（ｅ）「まず、上記構成のファクシミリ装置による送信機としての動作を説明する。図６において、ステップＳ３０では、ＳＵＢコマンドの情報入力を促す案内を表示部に出力する。ステップＳ３１では、入力の有無を判別する。入力があればステップＳ３２に進み、操作部から入力されたＳＵＢコマンドの情報（ここでは送信宛先の親展ボックスを指定するためのボックス番号）を、ＳＵＢコマンドのファクシミリ情報フィールド（ＦＩＦ）に設定する。ステップＳ３３では、ＰＷＤコマンドの情報入力を促す案内を表示する。ステップＳ３４では、入力の有無を判別する。入力があればステップＳ３５に進み、操作部から入力されたＰＷＤコマンドの情報（ここでは暗証番号）をファクシミリ情報フィールド（ＦＩＦ）に設定する。」（段落【００１７】）
　
（ｆ）「上述の各コマンドの設定手法では、入力された情報を各コマンドのファクシミリ情報フィールドに直接展開した例であるが、入力されたボックス番号や暗証番号を一旦ＲＡＭ２に記憶し、各コマンド送出の際にファクシミリ情報フィールドに展開するようにしてもよい。また、親展通信指示のための入力キーを操作部に設け、このキーによる指示が入力された場合に、入力されたボックス番号や暗証番号をＳＵＢコマンドやＰＷＤコマンド用の情報として取り込んで記憶するようにしてもよい。」（段落【００２１】）
　
　上記（ａ）ないし（ｆ）の記載及び図面から、引用例には
「通信機能を有するファクシミリ装置において、送信用画情報及び受信画情報を蓄積し、親展ボックスの開設が可能な画像蓄積装置を備えるともに、ＳＵＢコマンドの情報、例えば送信宛先の親展ボックスを指定するためのボックス番号の入力を行うための操作部を備え、前記画像蓄積装置に蓄積された受信画情報を印字装置に出力して印字するとともに、前記親展ボックスからデータの読み出しを行うファクシミリ装置。」の発明（以下、「引用発明」という。）が記載されている。
　
［第２引用例］
　原査定の拒絶の理由に引用された、特開平４−１６０４２５号公報（以下、「第２引用例」という。）には、次の事項が図面と共に記載されている。
　
（ｇ）「本発明は文字列妥当性判定方式、特に情報処理装置において入力する文字列の妥当性を判定する文字列妥当性判定方式に関する。」（１頁右下欄２行〜４行）
　
（ｈ）「第１図は本発明の一実施例の構成図である。第１図の実施例は文字列入力装置１，文字列読込み手段２，判定条件設定手段３，妥当性判定手段４，文字種別テーブル５，判定結果通知手段６および判定結果出力装置７を有して構成される。文字列読込み手段２は文字列入力装置１から入力される文字を文字列ごとに読込む手段である。判定条件設定手段３は入力する文字列の文字種別を設定することにより判定ビット列を出力する手段で、文字列はかな文字のみであるとか、数字のみであるとか、英数字であるが第１文字は必ず英字であるとかの種別が設定される。文字種別テーブル５は文字コードとその種別を示すビット列との対応表である。妥当性判断手段４は文字列読込み手段２から読込まれた文字列の各文字について文字種別テーブル５から文字種別のビット列を読出し、そのビット列と判定条件設定手段３に設定されている文字種別の判定ビット列との論理積から文字誤りの有無を判定する手段である。」（２頁左上欄１８行〜右上欄１６行）
　
［第３引用例］
　原査定の拒絶の理由に引用された、特開平１０−４４６５号公報（以下、「第３引用例」という。）には、次の事項が図面と共に記載されている。
　
（ｉ）「実施形態１
本実施形態の画像形成装置は、図１に示すように、画像を形成する複写機本体１と、当該複写機本体１に着脱可能に接続され、一般回線を通じてカスタマーサービスセンタの端末３と通信を行う複写機管理装置２とからなり、画像形成機能、装置管理機能、消耗品発注機能などを有する。」（段落【００２１】）
　
（ｊ）「そして、本実施の形態では、装置の複数の機能から所望の機能を選択するための機能選択画面、発注機能が選択された時に所定の発注項目を表示する発注項目表示画面、所定の発注項目が選択された時に当該項目の設定を行う項目設定画面などを設けた。」（段落【００３０】）
　
（ｋ）「上記項目設定画面は、図１０に示すように、英数字キーボード２０、上記選択項目の種類の表示欄２１及び上記選択項目の設定内容の表示欄２２からなる。また、画面上部には、当該画面の種類、一端入力した設定を取り消すための「取り消し」キー２３及び当該画面を閉じて１つ前の画面に戻るための「閉じる」キー２４が表示されている。そして、当該画面では、所定の項目設定を行った後、上記閉じるキーを選択することで、上記所定の項目の設定がなされる。
　また、当該項目設定画面では、選択された項目の種類に応じて入力不能キーを設定した。具体的には、上記商品コードを設定する場合にはスペースキーを入力不能とし、数量または発注番号を設定する場合には数字以外の全てのキーを入力不能とし、発注者名を設定する場合にはアルファベットとピリオド以外は入力不能とした。これにより、発注作業の利便性を損なうことなく、必要な画面数を削減することができる。」（段落【００３５】〜【００３６】）
　
４．対比
（ア）引用発明は、送信用画情報及び受信画情報を蓄積する画像蓄積装置を備えており（前掲（ｂ）、（ｃ））、前記「送信用画情報」及び「受信画情報」は、本願発明の「通信情報」に相当する。
　さらに、前記画像蓄積装置は、親展ボックスの開設が可能であり（前掲（ｄ））、前記「親展ボックス」は、本願発明の「通信情報を格納するボックス」に相当する。
　
（イ）引用発明においては、操作部からＳＵＢコマンドの情報、例えば送信宛先の親展ボックスを指定するためのボックス番号の入力が行われており（前掲（ｅ））、前記「ボックス番号」は、本願発明の「Ｆコード」に相当する。
　したがって、引用発明は、本願発明の「通信情報を格納するボックスを、Ｆコードによって検索・特定」することに相当する構成を備えている。
　
（ウ）引用発明においては、画像蓄積装置に蓄積された受信画情報を印字装置に出力して印字する（前掲（ｃ））とともに、前記画像蓄積装置に開設される親展ボックスからデータを読み出している（前掲（ｄ））。
　前記親展ボックスを指定するためには、操作部からのボックス番号の入力が必要であるから（前掲（ｅ））、引用発明は、本願発明の「通信情報を指示に従って処理するＦコード機能」に相当する構成を備えている。
　
（エ）引用発明は、通信機能を有するファクシミリ装置であるから（前掲（ａ））、「通信端末装置」であるといえる。
　
　以上を踏まえ、本願発明と引用発明を対比すると、両者は、
　「通信情報を格納するボックスを、Ｆコードによって検索・特定し、該通信情報を指示に従って処理するＦコード機能を備える通信端末装置。」である点で一致し、以下の点で相違する。
　
［相違点］
　本願発明が、「ボックスに関する情報を入力する際には、所定の入力キーの入力を許可すると共に、所定の桁数目においては前記所定の入力キーの入力を許可しないように制御する制御手段を備え」ているのに対し、引用発明は、前記「制御手段」に相当する構成を備えていない点。
　
５．判断
　上記相違点について検討する。
　
　文字列入力機能を備えた装置において、数字を含む文字列の入力を行う際、入力された各文字が何文字目で入力されたかに応じて、該入力された文字列の妥当性を判定することは、当業者に周知の技術である。
　例えば、第２引用例には、情報処理装置において、文字列入力装置から入力される文字列の文字種別を設定する判定条件設定手段を設け、例えば文字列は英数字であるが第１文字は必ず英字である等の設定を行い、読み込まれた文字列の各文字について文字種別を判定し、入力された文字列の妥当性を判定する旨記載されている（前掲（ｇ）、（ｈ））。
　さらに、キー入力により各種設定を行う装置において、特定の場合に限り例えばスペースキー等所定のキーを入力不能とすること、すなわち入力を許可しないように制御することも、例えば第３引用例（前掲（ｉ）、（ｊ）、（ｋ））にみられるように、当業者に周知の技術である。
　引用発明も、送信宛先の親展ボックスを指定する際にボックス番号を入力する操作部を備えており（前掲（ｅ））、ボックスに関する情報の明確な入力を可能にするために、引用発明に上記第２引用例及び第３引用例に記載された周知技術を適用して、親展ボックスを指定するためのボックス番号を入力する際、所定の入力キーが所定の文字数目、すなわち所定の桁数目で入力されたか否かを判定し、該判定結果に応じて、前記所定の入力キーの入力許可及び入力拒否を制御する構成とすることは、当業者が容易に想到し得たものである。
　
　そして、本願発明の奏する作用効果も、第１引用例ないし第３引用例に記載された発明の奏する作用効果から当業者が予測できる以上の格別のものともいえない。
　
６．むすび
　以上のとおり、本願発明は、第１引用例ないし第３引用例に記載された発明に基づいて、当業者が容易に発明をすることができたものであるから、特許法第２９条第２項の規定により特許を受けることができない。
　したがって、本願は、他の請求項に係る発明について検討するまでもなく、拒絶されるべきものである。
　よって、結論のとおり審決する。